(57)【要約】      （修正有）【課題】軽量の動物を確実に捕獲できる動物捕獲器を提供する。【解決手段】第１の入口１１が設けられた捕獲容器１２と、上記第１の入口１１から進入した動物の進入路１５において、前方に向かって揺動して上記第１の入口１１を塞ぐ揺動板１３と、上記第１の入口１１を塞ぐように揺動した揺動板１３が戻らないように一時的にロックする一時ロック手段１４とを備え、上記一時ロック手段１４は、上記揺動板１３における前端部に配置された第１ロック部２１Ａと第２ロック部２１Ｂを含み、上記第１ロック部２１Ａと第２ロック部２１Ｂは、揺動板１３を一時的にロックする高さが互いに異なるように構成されている。動物が進入すると揺動板１３が揺動して第１の入口１１を塞ぎ、戻らないように一時的にロックする。揺動板１３は少しの重みで揺動し、軽量の動物でも確実に捕獲する。【選択図】図１
2015100320.tif 000002
【特許請求の範囲】
【請求項１】
第１の入口が設けられた捕獲容器と、
上記第１の入口から進入した動物の進入路において、進入方向の前方に向かって揺動することにより上記第１の入口を塞ぐ揺動板と、
上記第１の入口を塞いだ状態に揺動した揺動板が戻らないように一時的にロックする一時ロック手段とを備え、
上記一時ロック手段は、上記揺動板における前端部に配置された、第１ロック部および第２ロック部を含み、
上記第１ロック部と第２ロック部は、揺動板が戻らないように一時的にロックする高さが、互いに異なるように構成されている
ことを特徴とする動物捕獲器。
【請求項２】
上記第１ロック部と第２ロック部は、進入方向を横切る軸に回動自在に取り付けられた回動部材を含み、
上記回動部材は、
揺動板の前端部に係合して揺動板が戻らないように一時的にロックする横向きのロック片と、
上記ロックを解除するときに回動部材を回動操作するための縦向きの解除操作片とを含み、
上記第１ロック部と第２ロック部は、上記ロック片の高さが互いに異なるように構成されている
請求項１記載の動物捕獲器。
【請求項３】
上記第１ロック部と第２ロック部の前方に、第２の入口と、上記第２の入口から侵入した動物を捕獲する捕獲室が設けられ、
上記第２の入口を動物が通過するときに、上記第１ロック部と第２ロック部の解除操作片を操作して、上記揺動板の一時的なロックを解除するための踏み板が設けられている
請求項２記載の動物捕獲器。
【発明の詳細な説明】
【技術分野】
【０００１】
本発明は、ネズミやアライグマ等の動物を捕獲するために使用される動物捕獲器に関するものである。
【背景技術】
【０００２】
従来より、ネズミやアライグマ等の動物を捕獲するための捕獲装置としては、例えば下記の特許文献１や特許文献２に示すシーソー板を利用したものが提供されている。なお、以下の説明で括弧内の符号は、公報に掲載されたものである。
【先行技術文献】
【特許文献】
【０００３】
【特許文献１】実用新案登録第３１１３７８６号公報
【特許文献２】特開昭６１−２６０８２７号公報
【０００４】
〔文献の開示〕
特許文献１の害虫害獣捕獲箱は、入口から入った鼠がシーソー（３）の中央より奥に入って行くと、その重さによってシーソー（３）の奥側が少し下がる。すると、回転軸（７）が下側に離れているのでバランスがくずれ、奥側がいっきに底まで下がり、シーソー（３）下部の磁石（４）と箱底の磁石（５）の吸引力で固定される。この状態で入口がふさがれることにより鼠が逃げられないようにしている。
【０００５】
特許文献２の齧歯類捕獲器は、入口から入った鼠が傾斜板（９３）の中央より奥に入って行くと、傾斜板（９３）で入口が塞がれ、その状態で捕獲板（９８）によって傾斜板（９３）が戻らなくなり、鼠が逃げられないようにしている。
【発明の概要】
【発明が解決しようとする課題】
【０００６】
〔文献１の課題〕
上記特許文献１の害虫害獣捕獲箱は、シーソー（３）を大きく動作させて鼠を捕獲しようとするものである。このような構造では、ある程度体重のある鼠でなければシーソー（３）を大きく動作させることができず、軽量の動物は捕獲することができない。
また、シーソー（３）の奥側がいっきに下がったときに磁石（４）（５）の吸引力で固定するようになっている。このとき、シーソー（３）の後端は逆戻り防止板（６）に接触して隙間がなくなる。このため、鼠の尻尾がシーソー（３）の後端と逆戻り防止板（６）のあいだに挟まると、シーソー（３）は十分に固定されずに戻ってしまい、せっかく侵入した鼠を逃がしてしまうことになる。
また、一匹の鼠を捕獲すると、次の鼠がやってきたとしても捕獲することはできない。１つの捕獲箱で捕獲できる鼠の数は一匹が限度である。また、捕獲された鼠が驚いて暴れだすと、磁石（４）（５）が外れてしまい、せっかく捕獲した一匹の鼠にも逃げられてしまう。そうなると、捕獲成果はゼロということになってしまう。
【０００７】
〔文献２の課題〕
上記特許文献２の齧歯類捕獲器は、捕獲板（９８）と傾斜板（９３）を動作させて鼠を捕獲しようとするものである。このような構造では、ある程度体重のある鼠でなければ捕獲板（９８）と傾斜板（９３）を動作させることができず、軽量の動物は捕獲することができない。
また、捕獲板（９８）によって傾斜板（９３）が戻らなくなり、鼠が逃げられないようにしている。このとき、捕獲板（９８）の下端が刻み（９７）に受け入れられて、傾斜板（９３）が戻るのを防止する。このため、鼠の尻尾が傾斜板（９３）と箱のあいだに挟まると、傾斜板（９３）は十分に固定されずに戻ってしまい、せっかく侵入した鼠を逃がしてしまうことになる。
また、一匹の鼠を捕獲すると、次の鼠がやってきたとしても捕獲することはできない。１つの捕獲箱で捕獲できる鼠の数は一匹が限度である。また、捕獲された鼠が驚いて暴れだすと、傾斜板（９３）が外れてしまい、せっかく捕獲した一匹の鼠にも逃げられてしまう。そうなると、捕獲成果はゼロということになってしまう。
【０００８】
〔目的〕
本発明は、上記課題を解決するため、つぎの目的でなされた。
軽量の動物が侵入したときに確実に動作して捕獲し、尻尾の長い動物も逃がさず捕獲し、一匹だけでなく二匹目三匹目と連続的に動物を捕獲できる動物捕獲器を提供する。
【課題を解決するための手段】
【０００９】
〔請求項１〕
請求項１は、上記の目的を達成するため、つぎの構成を採用した動物捕獲器である。
第１の入口が設けられた捕獲容器と、
上記第１の入口から進入した動物の進入路において、進入方向の前方に向かって揺動することにより上記第１の入口を塞ぐ揺動板と、
上記第１の入口を塞いだ状態に揺動した揺動板が戻らないように一時的にロックする一時ロック手段とを備え、
上記一時ロック手段は、上記揺動板における前端部に配置された、第１ロック部および第２ロック部を含み、
上記第１ロック部と第２ロック部は、揺動板が戻らないように一時的にロックする高さが、互いに異なるように構成されている。
【００１０】
〔請求項２〕
請求項２は、請求項１記載の構成に加えてさらに、つぎの構成を採用した。
上記第１ロック部と第２ロック部は、進入方向を横切る軸に回動自在に取り付けられた回動部材を含み、
上記回動部材は、
揺動板の前端部に係合して揺動板が戻らないように一時的にロックする横向きのロック片と、
上記ロックを解除するときに回動部材を回動操作するための縦向きの解除操作片とを含み、
上記第１ロック部と第２ロック部は、上記ロック片の高さが互いに異なるように構成されている。
【００１１】
〔請求項３〕
請求項３は、請求項２記載の構成に加えてさらに、つぎの構成を採用した。
上記第１ロック部と第２ロック部の前方に、第２の入口と、上記第２の入口から侵入した動物を捕獲する捕獲室が設けられ、
上記第２の入口を動物が通過するときに、上記第１ロック部と第２ロック部の解除操作片を操作して、上記揺動板の一時的なロックを解除するための踏み板が設けられている。
【発明の効果】
【００１２】
〔請求項１〕
請求項１記載の動物捕獲器は、上記構成を採用したことにより、つぎの作用効果を奏する。
上記第１の入口から進入した動物が進入路において揺動板の上を前方に進むときに、上記揺動板が進入方向の前方に向かって揺動して第１の入口を塞ぐ。この状態で、上記一時ロック手段によって揺動板が戻らないように一時的にロックされる。これにより、第１の入口から侵入した動物は逃げられず、捕獲される。揺動板は少しの重みで揺動することから、軽量の動物であっても確実に捕獲される。
上記揺動板が前方に向かって揺動したときに、第１ロック部と第２ロック部のうちロックする高さが高いほうでまず１回目のロックが行われる。揺動板が前方に向かってさらに揺動したときに、ロックする高さが低いほうで２回目のロックが行われる。１回目のロックが行われた状態では、上記揺動板と第１の入口とのあいだに隙間があり、侵入した動物に長い尻尾があっても揺動板と第１の入口とのあいだに挟まれない。この状態で揺動板はロックされているため、捕らえた動物を取り逃がすことがない。
【００１３】
〔請求項２〕
請求項２記載の動物捕獲器は、上記構成を採用したことにより、つぎの作用効果を奏する。
揺動板が前方に向かって揺動したときに、揺動板の前端部がロック片に当たって回動部材を回動させ、揺動板の前端部とロック片が係合して揺動板が戻らないように一時的にロックされる。ロックを解除するときは、解除操作片により回動部材を逆方向に回動操作する。そして、高さが互いに異なるロック片により、上述した１回目のロックと２回目のロックが行われる。これにより、侵入した動物に長い尻尾があっても揺動板と第１の入口とのあいだに挟まれず、この状態で揺動板はロックされていて捕らえた動物を取り逃がさない。
【００１４】
〔請求項３〕
請求項３記載の動物捕獲器は、上記構成を採用したことにより、つぎの作用効果を奏する。
第１の入り口から進入した動物は、揺動板の一時的なロックにより捕獲される。その動物が第２の入口から捕獲室に進入するときに踏み板の上を通過する。このとき、上記踏み板によって、第１ロック部と第２ロック部の解除操作片が操作され、上記揺動板の一時的なロックが解除される。したがって、第１の入口から進入して捕獲された動物が第２の入口から捕獲室に入ると、揺動板の一時的なロックが解除されて再び動物の進入を受け入れる状態に復帰する。これにより、１匹だけでなく２匹目３匹目と、連続的に動物を捕獲できる。
【図面の簡単な説明】
【００１５】
【図１】本発明の一実施形態における動物捕獲器の全体構造を示す断面図である。
【図２】揺動板を説明する図であり、（Ａ）は斜視図、（Ｂ）は断面図である。
【図３】一時ロック手段を説明する斜視図である。
【図４】一時ロック手段が揺動板をロックする状態を説明する図であり、（Ａ）は動作状態、（Ｂ）は一時ロック状態である。
【図５】（Ａ）は第１ロック部、（Ｂ）は第２ロック部を説明する図である。
【図６】踏み板の周辺構造を説明する図である。
【図７】一時ロック手段の解除を説明する図である。
【図８】一時ロック手段の第２例であり、（Ａ）は斜視図、（Ｂ）は側面図である。
【発明を実施するための形態】
【００１６】
以下、本発明の動物捕獲器の実施形態について詳細に説明する。
図１〜図７は、本実施形態における動物捕獲器を説明する図である。
【００１７】
〔全体構造〕
図１は、本実施形態の動物捕獲器の全体構造を示す断面図である。この動物捕獲器は、前後方向に延びる直方体状に形成された捕獲容器１２の後側の下半部分に、第１の入口１１が設けられている。捕獲対象とする動物は、上記第１の入口１１から捕獲容器１２に侵入する。上記第１の入口１１から進入した動物は、進入路１５、ゲート１６、第２の入口３１を通って、捕獲室３２に進入して捕獲される。
【００１８】
この動物捕獲器は、上記第１の入口１１から進入した動物の進入路１５において、進入方向の前方に向かって揺動することにより上記第１の入口１１を塞ぐ揺動板１３を備えている。また、上記第１の入口１１を塞いだ状態に揺動した揺動板１３が、戻らないように一時的にロックする一時ロック手段１４を備えている。さらに、上記第２の入口３１を動物が通過するときに、一時ロック手段１４を解除操作して、上記揺動板１３の一時的なロックを解除するための踏み板３３を供えている。
【００１９】
〔揺動板〕
図２は上記揺動板１３を示す図であり、（Ａ）は斜視図、（Ｂ）は断面図である。
上記揺動板１３は、上記第１の入口１１から進入した動物の進入路１５に設けられ、動物の進入方向である前後方向を横切る軸１３Ａにシーソー状に軸支されている。初期状態において、上記揺動板１３は、第１の入口１１側の後端部が下がって、登り傾斜するようにバランスされている。したがって、第１の入口１１から侵入した動物が、進入路１５を前方に向かって進むことにより、前端部が下がるように揺動板１３が揺動する。
【００２０】
このように、揺動板１３が動物の進入方向における前方に向かって揺動することにより、後端部が上がって上記第１の入口１１を塞ぐようになっている。この状態で、上記一時ロック手段１４が、上記第１の入口１１を塞いだ状態に揺動した揺動板１３を戻らないように一時的にロックすることにより、進入路１５内に進入した動物は逃げられない。
【００２１】
上記揺動板１３を軸支する軸１３Ａは、捕獲容器１２の両側壁に形成された支持スリット１７に両端部が支持されている。上記支持スリット１７は、下側に開口するコ字状のスリットであり、第１の入口１１側（後側）に第１の支持部１７Ａが、前側に第２の支持部１７Ｂが設けられている。したがって、上記揺動板１３は、第１の支持部１７Ａに軸１３Ａが軸支される第１の位置と、第２の支持部１７Ｂに軸１３Ａが軸支される第２の位置との２箇所で、軸支位置を切り換えることができるようになっている。図２（Ｂ）では、第１の位置における揺動板１３を実線で示し、第２の位置における揺動板１３を鎖線で示した。
【００２２】
上記第１の位置では、揺動板１３は第１の入口１１側に近い位置で軸支され、上記第２の位置では、揺動板１３は、上記第１の位置よりも第１の入口１１側から遠い位置で軸支される。そして、上記揺動板１３が第１の位置に軸支されたときに、上記揺動板１３の前端部が一時ロック手段１４によって一時的にロック可能なロックモードとなる。一方、上記揺動板１３が上記第２の位置に軸支されたときは、上記一時ロック手段１４は、揺動板１３の前端部をロックできないフリーモードになる。
【００２３】
したがって、上記揺動板１３を第２の位置に軸支するよう軸支位置を切り換えておくと、動物は第１の入口１１から進入路１５までを自由に出入りできる。この状態でしばらく動物捕獲器を設置しておくことで、捕獲対象の動物を動物捕獲器の動作に慣れさせ、警戒心を薄めて生きたまま捕獲しやすくできる。ロックモードにセットして翌日捕獲することになるので、捕獲した動物を殺すことにはならない。捕獲する日を決めることができる。したがって、野ねずみ等の小動物を調査等の目的で捕獲するときは、生きたまま捕獲してそのあと放すことができる。集団で行動する動物の場合は、フリーモードにセットして餌付けすることにより、集団が集まってくるため、それらをまとめて一斉捕獲することも容易になる。外来動物の駆除にも有効である。
【００２４】
〔一時ロック手段〕
図３は上記一時ロック手段１４を説明する斜視図である。
上記一時ロック手段１４は、上記揺動板１３における前端部の左右に配置された、第１ロック部２１Ａと第２ロック部２１Ｂと含んで構成されている。そして、上記第１ロック部２１Ａと第２ロック部２１Ｂは、揺動板１３が戻らないように一時的にロックする高さが、互いに異なるように構成されている。
【００２５】
この例では、上記揺動板１３が初期状態から前側に揺動してきたときに、まず第１ロック部２１Ａが動作して、揺動板１３を一時的にロックする。１回目の一時ロック状態である。このとき、第２ロック部２１Ｂは動作していない。この状態で、上記揺動板１３の後端部と第１の入口１１の開口上縁部とのあいだに、少し隙間ができるようになっている。こうすることにより、尻尾の長い動物が進入したときに、上記隙間から尻尾が外に出た状態で揺動板１３が一時ロックされる。
【００２６】
そして、上記揺動板１３が上記１回目の一時ロック状態からさらに前側に揺動してきたとき、第２ロック部２１Ｂが動作して、揺動板１３を一時的にロックする。２回目の一時ロック状態である。この状態では、上記揺動板１３の後端部と第１の入口１１の開口上縁部とのあいだには隙間ができないようになっている。こうすることにより、進入した動物が逆戻りできないようになっている。
【００２７】
図４は上記一時ロック手段１４が揺動板１３を一時的にロックする状態を説明する図であり、（Ａ）は動作する状態、（Ｂ）はロックしている状態である。図では第２ロック部２１Ｂの構造と動作を示したが、第１ロック部２１Ａの構造と動作もほぼ同様である。
【００２８】
上記第１ロック部２１Ａ，第２ロック部２１Ｂはそれぞれ、進入方向を横切る軸２２に回動自在に取り付けられたＬ字状の第１の回動部材２３Ａ，第２の回動部材２３Ｂを含んでいる。上記第１の回動部材２３Ａと第２の回動部材２３Ｂは、共通の軸２２に軸支されている。
【００２９】
上記第１の回動部材２３Ａおよび第２の回動部材２３Ｂは、Ｌ字状の一片が、揺動板１３の前端部に係合して揺動板１３が戻らないように一時的にロックする横向きの第１のロック片２４Ａおよび第２のロック片２４Ｂである。また、Ｌ字状の他片が、上記ロックを解除するときに第１の回動部材２３Ａおよび第２の回動部材２３Ｂを回動操作するための縦向きの第１の解除操作片２５Ａおよび第２の解除操作片２５Ｂである。
【００３０】
上記第１の回動部材２３Ａおよび第２の回動部材２３Ｂは、第１のロック片２４Ａおよび第２のロック片２４Ｂから下方に延びる第１の軸支片２６Ａおよび第２の軸支片２６Ｂを有している。上記第１の回動部材２３Ａおよび第２の回動部材２３Ｂは、上記第１の軸支片２６Ａと第２の軸支片２６Ｂの先端付近において、上記軸２２に軸支されている。
【００３１】
上記揺動板１３が前側に揺動すると、その前端部が、第１のロック片２４Ａおよび第２のロック片２４Ｂの上面後方側に当たって、第１の回動部材２３Ａおよび第２の回動部材２３Ｂを後方に回動させる。この回動により、揺動板１３の前端部が、第１のロック片２４Ａおよび第２のロック片２４Ｂの後端部を回り込んでその下側になる。この状態で、揺動板１３が戻ろうとすると、揺動板１３の前端部が、第１のロック片２４Ａおよび第２のロック片２４Ｂに引っかかる。このとき、第１の回動部材２３Ａおよび第２の回動部材２３Ｂは、第１の解除操作片２５Ａおよび第２の解除操作片２５Ｂの下端が捕獲容器１２の床面に当接して前方に回動しない。これにより、揺動板１３は一時的にロックされた状態になる。
【００３２】
図５は、上記一時的にロックする高さが互いに異なる状態を説明する図であり、（Ａ）は第１ロック部２１Ａ、（Ｂ）は第２ロック部２１Ｂを示す。
【００３３】
上記第１ロック部２１Ａと第２ロック部２１Ｂは、上記第１のロック片２４Ａと第２のロック片２４Ｂの高さが互いに異なるように構成されている。この例では、上記第１ロック部２１Ａと第２ロック部２１Ｂとでは、第１ロック部２１Ａの第１の軸支片２６Ａが、第２ロック部２１Ｂの第２の軸支片２６Ｂに比べて長くなるように設定されている。つまり、第１のロック片２４Ａの高さ位置が、第２のロック片２４Ｂの高さ位置より高くなっている。これにより、上記第１ロック部２１Ａと第２ロック部２１Ｂにおいて、揺動板１３が戻らないように一時的にロックする高さが互いに異なるようになっている。
【００３４】
〔踏み板〕
図６は、上記踏み板３３の周辺構造を説明する図である。
上記踏み板３３は、捕獲室３２への第２の入り口３１と進入路１５とのあいだに設けられている。上記踏み板３３は、進入方向を横切る軸３３Ａにシーソー状に軸支されている。上記踏み板３３は、軸３３Ａに支えられる軸支板３３Ｂの後と前にそれぞれ、第１傾斜板３３Ｃと第２傾斜板３３Ｄが設けられている。また、上記第１傾斜板３３Ｃの第１の入口１１側に、第１ロック部２１Ａと第２ロック部２１Ｂにおける第１の解除操作片２５Ａと第２の解除操作片２５Ｂを解除操作する操作板３３Ｅが設けられている。
【００３５】
上記操作板３３Ｅは、第１ロック部２１Ａと第２ロック部２１Ｂにおける第１の解除操作片２５Ａと第２の解除操作片２５Ｂの下端部より下に配置されている。
【００３６】
上記第１ロック部２１Ａと第２ロック部２１Ｂの前方に、第２の入口３１と、上記第２の入口３１から侵入した動物を捕獲する捕獲室３２が設けられている。
【００３７】
上記軸支板３３Ｂの上には、進入路１５を前進してきた動物が通るゲート１６が設けられている。上記ゲート１６を通った動物が、第２の入口３１から捕獲室３２内に進入するように構成されている。上記第２の入口３１は、捕獲室３２内に設けられたトンネル部３４につながっている。上記トンネル部３４内には、捕獲室３２の内側方向にだけ開いて外向きには開かない逆止扉３５が設けられている。
【００３８】
図７（Ａ）は踏み板が動作する前の状態、図７（Ｂ）は踏み板が動作している状態である。
【００３９】
上記の構造により、第１の入口１１を進入した動物が、進入路１５を前進して踏み板３３の上を通過し、ゲート１６を潜って第２の入口３１を通過するときに、踏み板３３が揺動し、前方が下がり操作板３３Ｅが上がる。このとき、上記踏み板３３は、上記第１ロック部２１Ａと第２ロック部２１Ｂの第１解除操作片２５Ａおよび第２解除操作片２５Ｂを操作して、上記揺動板１３の一時的なロックを解除する。
【００４０】
すなわち、踏み板３３の操作板３３Ｅが上がると、上記第１ロック部２１Ａと第２ロック部２１Ｂの第１解除操作片２５Ａおよび第２解除操作片２５Ｂの下端部に当たって下から押し上げ、第１の回動部材２３Ａおよび第２の回動部材２３Ｂを後方に回動させる。第１の回動部材２３Ａおよび第２の回動部材２３Ｂの強制的な回動により、第１のロック片２４Ａと第２のロック片２４Ｂは、揺動板１３の後端部を回りこんでその下側になる。この状態で、上記揺動板１３の一時ロック状態は解除され、揺動板１３はふたたび初期の傾斜状態に戻る。
【００４１】
〔一時ロック手段の第２例〕
図８は、一時ロック手段１４の第２例を示す。この例は、第１ロック部２１Ａが中央に配置され、その両側に第２ロック部２１Ｂが配置されている。第１ロック部２１Ａの方が第２ロック部２１Ｂよりも上記揺動板１３を一時的にロックする高さが高い。すなわち、第１のロック片２４Ａのほうが第２のロック片２４Ｂよりも高い位置に配置されている。また、第１の解除操作片２５Ａと第２の解除操作片２５Ｂは一体的に形成されている。第１の解除操作片２５Ａと第２の解除操作片２５Ｂの下端部には、バランスをとる錘の役目をするバランス片２７が横向きに形成されている。
【００４２】
〔作用効果〕
上記実施形態の動物捕獲器によれば、下記の作用効果を奏する。
【００４３】
上記第１の入口１１から進入した動物が進入路１５において揺動板１３の上を前方に進むときに、上記揺動板１３が進入方向の前方に向かって揺動して第１の入口１１を塞ぐ。この状態で、上記一時ロック手段１４によって揺動板１３が戻らないように一時的にロックされる。これにより、第１の入口１１から侵入した動物は逃げられず、捕獲される。揺動板１３は少しの重みで揺動することから、軽量の動物であっても確実に捕獲される。
上記揺動板１３が前方に向かって揺動したときに、第１ロック部２１Ａと第２ロック部２１Ｂのうちロックする高さが高いほうでまず１回目のロックが行われる。揺動板１３が前方に向かってさらに揺動したときに、ロックする高さが低いほうで２回目のロックが行われる。１回目のロックが行われた状態では、上記揺動板１３と第１の入口１１とのあいだに隙間があり、侵入した動物に長い尻尾があっても揺動板と第１の入口１１とのあいだに挟まれない。この状態で揺動板１３はロックされているため、捕らえた動物を取り逃がすことがない。
【００４４】
揺動板１３が前方に向かって揺動したときに、揺動板１３の前端部が第１のロック片２４Ａおよび第２のロック片２４Ｂに当たって第１の回動部材２３Ａおよび第２の回動部材２３Ｂを回動させ、揺動板１３の前端部と第１のロック片２４Ａおよび第２のロック片２４Ｂが係合して揺動板１３が戻らないように一時的にロックされる。ロックを解除するときは、第１の解除操作片２５Ａおよび第２の解除操作片２５Ｂによりに第１の回動部材２３Ａおよび第２の回動部材２３Ｂを逆方向に回動操作する。そして、高さが互いに異なる第１のロック片２４Ａと第２のロック片２４Ｂにより、上述した１回目のロックと２回目のロックが行われる。これにより、侵入した動物に長い尻尾があっても揺動板１３と第１の入口１１とのあいだに挟まれず、この状態で揺動板１３はロックされていて捕らえた動物を取り逃がさない。
【００４５】
第１の入り口１１から進入した動物は、揺動板１３の一時的なロックにより捕獲される。その動物が第２の入口３１から捕獲室３２に進入するときに踏み板３３の上を通過する。このとき、上記踏み板３３によって、第１ロック部２１Ａと第２ロック部２１Ｂにおける第１の解除操作片２５Ａおよび第２の解除操作片２５Ｂが操作され、上記揺動板１３の一時的なロックが解除される。したがって、第１の入口１１から進入して捕獲された動物が第２の入口３１から捕獲室３２に入ると、揺動板１３の一時的なロックが解除されて再び動物の進入を受け入れる状態に復帰する。これにより、１匹だけでなく２匹目３匹目と、連続的に動物を捕獲できる。
【００４６】
〔その他の変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００４７】
１１：第１の入口
１２：捕獲容器
１３：揺動板
１３Ａ：軸
１４：一時ロック手段
１５：進入路
１６：ゲート
１７：支持スリット
１７Ａ：第１の支持部
１７Ｂ：第２の支持部
２１Ａ：第１ロック部
２１Ｂ：第２ロック部
２２：軸
２３Ａ：第１の回動部材
２３Ｂ：第２の回動部材
２４Ａ：第１のロック片
２４Ｂ：第２のロック片
２５Ａ：第１の解除操作片
２５Ｂ：第２の解除操作片
２６Ａ：第１の軸支片
２６Ｂ：第２の軸支片
２７：バランス片
３１：第２の入口
３２：捕獲室
３３：踏み板
３３Ａ：軸
３３Ｂ：軸支板
３３Ｃ：第１傾斜板
３３Ｄ：第２傾斜板
３３Ｅ：操作板
３４：トンネル部
３５：逆止扉
【図１】
2015100320.tif 000003
【図２】
2015100320.tif 000004
【図３】
2015100320.tif 000005
【図４】
2015100320.tif 000006
【図５】
2015100320.tif 000007
【図６】
2015100320.tif 000008
【図７】
2015100320.tif 000009
【図８】
2015100320.tif 000010